(57)【特許請求の範囲】
【請求項１】
一の指示に基づいて第１形式で生成された複数の画像データのうちの第１画像データと、前記一の指示に基づいて第２形式で生成された複数の画像データのうちの第２画像データと、を表示する表示部と、
前記第１形式で生成された複数の画像データ又は前記第２形式で生成された複数の画像データにユーザが選択した優先画像データが含まれていない場合、前記第１形式で生成された複数の画像データ又は前記第２形式で生成された複数の画像データに関する情報に基づいて選択された優先画像データを前記表示部に表示させる制御部と、
を備える画像表示装置。
【請求項２】
前記制御部は、前記第１形式で生成された複数の画像データにユーザが選択した優先画像データが含まれている場合、前記ユーザが選択した優先画像データを前記第１画像データとして前記表示部に表示させ、前記第２形式で生成された複数の画像データにユーザが選択した優先画像データが含まれている場合、前記ユーザが選択した優先画像データを前記第２画像データとして前記表示部に表示させる
請求項１に記載の画像表示装置。
【請求項３】
前記制御部は、前記第１画像データ又は前記第２画像データが優先画像データであることを示す表示を前記表示部に表示させる
請求項１又は請求項２に記載の画像表示装置。
【請求項４】
前記制御部は、前記第１形式で生成された複数の画像データと前記第２形式で生成された複数の画像データとを前記表示部に表示させる
請求項１から請求項３の何れか一項に記載の画像表示装置。
【請求項５】
前記制御部は、ユーザの操作に基づいて、前記第１形式で生成された複数の画像データ又は前記第２形式で生成された複数の画像データの何れか一方を前記表示部に表示させる表示モードに変更する
請求項１から請求項４の何れか一項に記載の画像表示装置。
【請求項６】
前記制御部は、ユーザの操作に基づいて、前記第１画像データ又は前記第２画像データの何れか一方を前記表示部に表示させる表示モードに変更する
請求項１から請求項５の何れか一項に記載の画像表示装置。
【請求項７】
前記制御部は、
前記第１画像データ及び前記第２画像データを前記表示部に表示させる表示モードと、
前記第１形式で生成された複数の画像データ及び前記第２形式で生成された複数の画像データを前記表示部に表示させる表示モードと、
前記第１形式で生成された複数の画像データ又は前記第２形式で生成された複数の画像データの何れか一方を前記表示部に表示させる表示モードと、
前記第１画像データ又は前記第２画像データの何れか一方を前記表示部に表示させる表示モードと、
のうち何れかで前記表示部を制御する請求項１から請求項６の何れか一項に記載の画像表示装置。
【請求項８】
前記画像データに関する情報は、前記画像データを示す情報又は前記画像データの撮像に関する情報である
請求項１から請求項７の何れか一項に記載の画像表示装置。
【請求項９】
前記画像データを示す情報は、前記画像データのファイル名を含む
請求項８に記載の画像表示装置。
【請求項１０】
前記撮像に関する情報は、前記画像データの露出又は焦点に関する情報である
請求項８又は請求項９に記載の画像表示装置。
【請求項１１】
前記一の指示は、連写又はオートブラケッティングで撮像するための指示である
請求項１から請求項１０の何れか一項に記載の画像表示装置。
【請求項１２】
一の指示に基づいて第１形式で生成された複数の画像データのうちの第１画像データと、前記一の指示に基づいて第２形式で生成された複数の画像データのうちの第２画像データと、を表示部に表示させる表示処理と、
前記第１形式で生成された複数の画像データ又は前記第２形式で生成された複数の画像データにユーザが選択した優先画像データが含まれていない場合、前記第１形式で生成された複数の画像データ又は前記第２形式で生成された複数の画像データに関する情報に基づいて選択された優先画像データを前記表示部に表示させる制御処理と、
をコンピュータに実行させるプログラム。
【発明の詳細な説明】
【技術分野】
【０００１】
本発明は、画像処理装置及びプログラムに関する。
【背景技術】
【０００２】
１個のファイル形式に基づいて生成された複数の画像ファイルを含む画像群の代表画像を設定する画像処理の技術が知られている（例えば、特許文献１参照）。
特許文献１  特開２００４−２４７８０７
【発明の概要】
【発明が解決しようとする課題】
【０００３】
しかしながら、上述の技術は、複数のファイル形式の画像群に対応することができないといった課題がある。
【課題を解決するための手段】
【０００４】
本発明の第１の態様においては、一の撮影指示に対して撮像された複数の画像から一の形式で生成された複数の画像ファイルを含む一の画像群、および、前記複数の画像ファイルのそれぞれについて、前記一の画像群と異なる他の形式で生成された、前記複数の画像ファイルに対応する複数の画像ファイルを含む他の画像群を取得する画像取得部と、前記一の画像群に含まれる前記複数の画像ファイルのうちから選択された一の優先画像ファイルの画像、および、前記他の画像群に含まれる前記複数の画像ファイルのうちから選択された他の優先画像ファイルの画像をそれぞれ表示する優先画像表示部とを備える画像処理装置を提供する。
【０００５】
本発明の第２の態様においては、一の撮影指示に対して一の形式で生成された複数の画像ファイルを含む画像群を取得する画像取得部と、前期複数の画像ファイルから優先画像ファイルを選択する優先選択部とを備え、前記優先選択部は、ユーザにより選択された第１選択ファイルが画像群に含まれる場合、前記第１選択ファイルを優先画像ファイルとして選択して、前記第１選択ファイルが前記画像群に含まれない場合、前記第１選択ファイルとは異なる第２選択ファイルを前記優先画像ファイルとして選択する画像処理装置を提供する。
【０００６】
本発明の第３の態様においては、コンピュータに画像処理を実行させるプログラムにおいて、一の撮影指示に対して撮像された複数の画像から一の形式で生成された複数の画像ファイルを含む一の画像群、および、前記複数の画像ファイルのそれぞれについて、前記一の画像群と異なる他の形式で生成された、前記複数の画像ファイルに対応する複数の画像ファイルを含む他の画像群を取得する画像取得段階と、前記一の画像群に含まれる前記複数の画像ファイルのうちから選択された一の優先画像ファイルの画像、および、前記他の画像群に含まれる前記複数の画像ファイルのうちから選択された他の優先画像ファイルの画像をそれぞれ表示する優先画像表示段階とをコンピュータに実行させるプログラムを提供する。
【０００７】
本発明の第４の態様においては、コンピュータに画像処理を実行させるプログラムにおいて、一の撮影指示に対して一の形式で生成された複数の画像ファイルを含む画像群を取得する画像取得段階と、前記複数の画像ファイルから優先画像ファイルを選択する優先選択段階とを備え、前記優先選択段階は、ユーザにより選択された第１選択ファイルが前記画像群に含まれる場合、前記第１選択ファイルを前記優先画像ファイルとして選択して、前記第１選択ファイルが前記画像群に含まれない場合、前記第１選択ファイルとは異なる第２選択ファイルを前記優先画像ファイルとして選択することをコンピュータに実行させるプログラムを提供する。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】画像処理システムの全体構成の概略図である。
【図２】撮像装置１２の全体構成を示すブロック図である。
【図３】撮像記憶部２４に保存された画像群に含まれる画像ファイルを説明する図である。
【図４】識別情報ファイルＤＦを説明する図である。
【図５】画像処理装置１４の全体構成を示すブロック図である。
【図６】画像処理装置１４において実行される画像処理のフローチャートである。
【図７】保存選択画面の図である。
【図８】代表画像保存を説明する図である。
【図９】代表画像保存によって保存された画像ファイルの画像表示を説明する図である。
【図１０】結合画像保存を説明する図である。
【図１１】結合画像保存によって保存された結合画像ファイルの画像表示を説明する図である。
【図１２】画像名識別保存を説明する図である。
【図１３】画像名識別保存によって保存された画像ファイルの画像表示を説明する図である。
【図１４】識別分離保存を説明する図である。
【図１５】記憶部４６に保存される識別情報ファイルを説明する図である。
【図１６】フォルダ保存を説明する図である。
【図１７】個別保存を説明する図である。
【図１８】変更された保存選択画面を説明する図である。
【図１９】変更された保存選択画面を説明する図である。
【図２０】本実施形態による画像群の構成を説明する図である。
【図２１】優先選択部１７２を更に備えた画像処理装置１１４の全体構成図である。
【図２２】優先選択部１７２による優先画像及び共通優先画像を選択する優先画像選択処理を説明するフローチャートである。
【図２３】表示方法を選択する表示選択画面の図である。
【図２４】全画像表示の表示方法を説明する図である。
【図２５】単形式表示の表示方法を説明する図である。
【図２６】形式毎表示の表示方法を説明する図である。
【図２７】単画像表示の表示方法を説明する図である。
【図２８】全画像表示の表示方法を説明する図である。
【図２９】単形式表示の表示方法を説明する図である。
【図３０】形式毎表示の表示方法を説明する図である。
【図３１】単画像表示の表示方法を説明する図である。
【図３２】検索部を更に備えた画像処理装置の全体構成図である。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、画像処理システムの全体構成の概略図である。図１に示すように、画像処理システム１０は、撮像装置１２と、画像処理装置１４とを有する。撮像装置１２の一例は、デジタルカメラである。撮像装置１２は、画像を撮像して、電気的な画像情報である画像ファイル及び画像ファイルに関する情報である識別情報を生成する。画像処理装置１４の一例は、パーソナルコンピュータである。画像処理装置１４は、撮像装置１２と情報を入出力可能に構成されている。例えば、画像処理装置１４は、撮像装置１２から画像ファイルを取得して、保存する。
【００１２】
図２は、撮像装置１２の全体構成を示すブロック図である。図２に示すように、撮像装置１２は、撮像部２０と、撮像操作部２２と、撮像記憶部２４と、入出力部２６と、撮像制御部２８とを備える。
【００１３】
撮像部２０は、ＣＣＤ（Charge Coupled Device）センサ、または、ＣＭＯＳ（Complementary Metal Oxide Semiconductor）センサ等の光電変換素子を有する。撮像部２０は、光電変換されたアナログ信号をデジタル変換して撮像制御部２８へと出力する。
【００１４】
撮像操作部２２は、タッチパネル、ダイアル、レリーズボタン等を含む。撮像操作部２２は、ユーザがタッチパネル等を介して入力した指示等の情報を撮像制御部２８へと出力する。
【００１５】
撮像記憶部２４は、撮像部２０によって撮像された画像の情報である画像ファイルを保存する。撮像記憶部２４は、例えば、フラッシュメモリを含む。
【００１６】
入出力部２６は、画像処理装置１４等の外部機器と接続される。これにより、撮像装置１２は、入出力部２６を介して、画像処理装置１４等と種々の情報を入出力する。
【００１７】
撮像制御部２８は、ＣＰＵを含む。撮像制御部２８は、撮像装置１２の制御全般を司る。撮像制御部２８は、単写制御部３０と、群制御部３２と、転送部３４とを有する。ユーザが撮像操作部２２を介して、単写撮像を設定した後、レリーズボタンを操作すると、単写制御部３０は、撮像部２０に画像を１枚ずつ撮像させて画像ファイルを１個ずつ撮像記憶部２４に保存する。ユーザが撮像操作部２２を介して、群撮像を設定した後、レリーズボタンを操作すると、群制御部３２は、一の撮像指示に対して、撮像部２０に複数の画像を撮像させて生成された複数の画像ファイルを含む画像群を撮像記憶部２４に保存する。画像群を撮像する撮像方法は、時間的に連続して複数撮像する連写、露出等を変えて複数撮像するオートブラケッティング等である。転送部３４は、入出力部２６を介して、撮像記憶部２４に保存された画像ファイルを画像処理装置１４に転送する。
【００１８】
図３は、撮像記憶部２４に保存された画像群に含まれる画像ファイルを説明する図である。図３に示すように、複数の画像ファイルＰＦは、フォルダＦＬＤに属する形で撮像記憶部２４に保存される。図３に示す例では、５個の画像ファイルＰＦが、１つの画像群ＰＧに属する。従って、画像ファイルＰＦの「ＤＳＣＮ＿０００１．ＪＰＧ〜ＤＳＣＮ＿０００５．ＪＰＧ」が、画像群ＰＧ０１に属し、画像ファイルＰＦの「ＤＳＣＮ＿０００６．ＪＰＧ〜ＤＳＣＮ＿００１０．ＪＰＧ」が、画像群ＰＧ０２に属する。尚、１個の画像群ＰＧに含まれる画像ファイルＰＦの個数は適宜変更してよい。
【００１９】
複数のフォルダＦＬＤが、撮像記憶部２４に形成されてもよい。同じ画像群ＰＧに属する画像ファイルＰＦは、同じフォルダＦＬＤに属する。この場合、いずれのフォルダＦＬＤに撮像した画像ファイルＰＦを属させるかは、各フォルダＦＬＤに画像ファイルＰＦを記憶可能な容量の上限を設けて、上限に達したら次のフォルダＦＬＤに画像ファイルＰＦを属させてもよい。尚、いずれのフォルダＦＬＤに撮像した画像ファイルＰＦを属させるかは、ユーザの指示に従ってもよい。各フォルダＦＬＤには、各画像ファイルＰＦに関する識別情報を含む識別情報ファイルＤＦが属する。
【００２０】
図４は、識別情報ファイルＤＦを説明する図である。図４に示すように、識別情報ファイルＤＦは、画像ファイルＰＦに関する種々の識別情報を含む。識別情報には、画像ファイルＰＦがいずれの画像群ＰＧに属するかを識別する画像群名、及び、各画像ファイルＰＦの属性が、画像ファイルＰＦの画像ファイル名に関連付けられている。画像ファイルＰＦの属性には、画像ファイルＰＦである旨、代表画像となるユーザベストである画像ファイルＰＦに関する情報、オートベストである画像ファイルＰＦに関する情報が含まれる。尚、オートベストの画像ファイルＰＦを代表画像ファイルとしてもよい。ユーザベストはユーザによって選択される。オートベストは、露出、焦点等を参照して群制御部３２によって自動的に選択される。
【００２１】
この識別情報ファイルＤＦにより、ＤＳＣＮ＿０００１．ＪＰＧ〜ＤＳＣＮ＿０００５．ＪＰＧの５個の画像ファイルＰＦが、画像群ＰＧ０１に属することが識別できる。更に、この５個の画像ファイルＰＦのうち、ユーザベストである代表画像ファイルＳＦが「ＤＳＣＮ＿０００３．ＪＰＧ」であること、オートベストの画像ファイルＰＦが「ＤＳＣＮ＿０００１．ＪＰＧ」であることが識別情報ファイルＤＦから識別できる。尚、図４に示す識別情報ファイルＤＦは、画像群ＰＧに属する画像ファイルＰＦの識別情報のみを有するが、単写制御部３０によって撮像され、画像群ＰＧに属さない単写の画像ファイルＰＦの識別情報を合わせて識別情報ファイルＤＦに含めてもよい。
【００２２】
図５は、画像処理装置１４の全体構成を示すブロック図である。図５に示すように、画像処理装置１４は、操作部４０と、表示部４２と、入出力部４４と、記憶部４６と、画像制御部４８とを備える。
【００２３】
操作部４０は、キーボード、マウス、タッチパネル等を有する。操作部４０は、ユーザによって操作される。これにより、ユーザは、操作部４０を介して、指示等の種々の情報を画像制御部４８に入力する。
【００２４】
表示部４２は、液晶表示装置を有する。表示部４２は、画像制御部４８から入力された画像ファイルＰＦの画像情報に基づいて、画像を表示する。
【００２５】
入出力部４４は、撮像装置１２等の外部機器と情報を入出力可能に構成されている。入出力部４４は、取得した情報を画像制御部４８へと入力する。
【００２６】
記憶部４６は、撮像装置１２から取得した画像ファイルＰＦ、画像処理装置１４に画像処理を実行させるためのプログラム等を保存している。画像処理を実行させるためのプログラムは、例えば、ＣＤ、ＤＶＤ等の記憶媒体５０を介して取得してもよい。
【００２７】
画像制御部４８は、画像処理装置１４の制御全般を司る。画像制御部４８は、画像取得部５２と、操作受付部５４と、画像保存部５６と、表示制御部５８とを有する。
【００２８】
画像取得部５２は、入出力部４４を介して、撮像装置１２から撮像装置１２が撮像して生成した複数の画像ファイルＰＦを含む画像群ＰＧを取得する。また、画像取得部５２は、撮像装置１２から識別情報ファイルＤＦを取得する。画像取得部５２は、取得した画像ファイルＰＦ及び識別情報ファイルＤＦを画像保存部５６へと出力する。画像取得部５２は、画像ファイルＰＦを取得した旨を操作受付部５４へと出力する。
【００２９】
操作受付部５４は、操作部４０を介して入力されたユーザの指示を受け付ける。例えば、操作受付部５４は、画像取得部５２から画像ファイルＰＦを取得した旨が入力されると、保存選択画面を表示させる旨を表示制御部５８へと出力する。操作受付部５４が受け付ける指示には、この保存選択画面を介してユーザが入力する画像保存に関する選択指示が含まれる。画像保存に関する選択指示は、画像群ＰＧに含まれる複数の画像ファイルＰＦを保存する全画像保存か、または、画像群ＰＧに含まれる複数の画像ファイルＰＦのうち代表画像ファイルを保存する代表画像保存かの選択を含む。尚、全画像保存は、後述する結合画像保存、画像名識別保存、識別分離保存、フォルダ保存、及び、個別保存を含む。操作受付部５４は、取得した画像保存の選択指示を画像保存部５６へと出力する。操作受付部５４が取得する指示には、画像ファイルＰＦの画像を表示部４２に表示させる表示指示が含まれる。操作受付部５４は、取得した表示指示を表示制御部５８へと出力する。
【００３０】
画像保存部５６は、画像取得部５２が画像群ＰＧを取得した場合に、操作受付部５４により受け付けられた選択指示に基づいて、全画像保存または代表画像保存を実行する。これにより、画像保存部５６は、画像取得部５２から入力された画像群ＰＧに属する画像ファイルＰＦを記憶部４６に保存する。
【００３１】
表示制御部５８は、操作受付部５４から表示指示が入力されると、記憶部４６に保存されている画像ファイルＰＦを表示部４２に表示させる。
【００３２】
図６は、画像処理装置１４において実行される画像処理のフローチャートである。図７は、保存選択画面の図である。画像処理装置１４は、記憶部４６に保存されたプログラムを読み込んで画像処理を実行する。
【００３３】
図６に示すように、画像処理装置１４において画像処理が実行されると、画像取得部５２が、入出力部４４を介して、識別情報ファイルＤＦ及び複数の画像ファイルＰＦを含む画像群ＰＧをフォルダＦＬＤに属する状態で撮像装置１２から取得する（Ｓ１０）。画像取得部５２は、取得した識別情報ファイルＤＦ及び画像ファイルＰＦを画像保存部５６へと出力する。また、画像取得部５２は、識別情報ファイルＤＦ及び画像ファイルＰＦを取得した旨を操作受付部５４へと出力する。
【００３４】
次に、操作受付部５４は、画像取得部５２から画像ファイルＰＦを取得した旨が入力されると、表示制御部５８へと保存選択画面の表示指示を表示制御部５８へと出力する。表示制御部５８は、図７に示す保存選択画面６０を表示部４２に表示する。ユーザは、この保存選択画面６０に表示された代表画像保存、結合画像保存、画像名識別保存、識別分離保存、フォルダ保存、及び、個別保存のいずれかを選択して、操作部４０によって選択した保存方法を入力する。操作受付部５４は、保存方法に関するユーザの選択を受け付けると、その選択された保存方法を画像保存部５６へと出力する（Ｓ１２）。
【００３５】
次に、画像保存部５６は、ユーザにより選択されて操作受付部５４から入力された保存方法に基づいて、代表画像保存、結合画像保存、画像名識別保存、識別分離保存、フォルダ保存、及び、個別保存のいずれかを実行する。これにより、画像保存部５６は、画像取得部５２から入力された識別情報ファイルＤＦ及び画像ファイルＰＦに関する情報を記憶部４６に保存する（Ｓ１４）。
【００３６】
次に、ユーザが操作部４０を介して、画像の表示指示を入力して、操作受付部５４が表示指示を取得すると（Ｓ１６：Ｙｅｓ）、操作部４０は、表示指示を表示制御部５８へと入力する。表示制御部５８は、画像保存部５６によって保存された画像ファイルＰＦに基づいて、表示部４２に画像を表示する（Ｓ１８）。これにより、画像処理が終了する。
【００３７】
図８は、代表画像保存を説明する図である。図９は、代表画像保存によって保存された画像ファイルの画像表示を説明する図である。代表画像保存は、画像群ＰＧに含まれる複数の画像ファイルＰＦのうち代表画像ファイルＳＦを保存する保存方法である。
【００３８】
図８の左側に示すように、ステップＳ１０の画像取得において、画像取得部５２は、複数の画像群ＰＧのいずれかに属する複数の画像ファイルＰＦと、画像ファイルＰＦの識別情報を含む識別情報ファイルＤＦとを取得する。代表画像保存がユーザにより選択されると、画像保存部５６は、図８の左側に示すようにユーザベストである代表画像ファイルＳＦの画像ファイルのみを記憶部４６に保存する。例えば、画像保存部５６は、画像群ＰＧ０１では、ユーザベストの画像ファイルＤＳＣＮ＿０００３．ＪＰＧのみを記憶部４６に保存する。また、画像保存部５６は、画像群ＰＧ０２では、ユーザベストの画像ファイルＤＳＣＮ＿０００７．ＪＰＧのみを記憶部４６に保存する。尚、画像保存部５６は、ユーザベストの代わりに、オートベストの画像ファイルＰＦを代表画像ファイルＳＦとして記憶部４６に保存してもよい。識別情報ファイルＤＦは、消去してもよい。また、代表画像ファイルＳＦが、元は画像群ＰＧに属していたことを示す情報を残すことが好ましい。例えば、代表画像ファイルＳＦのファイル名に「＃」等の識別符号を付与することが提案できる。
【００３９】
代表画像保存において記憶部４６に保存された画像ファイルＰＦを表示する場合、図９に示すように、表示制御部５８は、保存された画像ファイルＰＦ、例えば、ＤＳＣＮ＿０００３．ＪＰＧを表示部４２に表示する。
【００４０】
上述したように代表画像保存においては、画像処理装置１４は、代表画像ファイルＳＦのみを保存する。これにより、画像処理装置１４は、記憶部４６が必要とする記憶容量を小さくすることができる。また、画像処理装置１４は、画像ファイルの管理を簡易化することができる。更には、画像処理装置１４は、識別情報ファイルＤＦを参照することなく、代表画像ファイルＳＦの画像のみを迅速に表示できる。
【００４１】
図１０は、結合画像保存を説明する図である。図１１は、結合画像保存によって保存された結合画像ファイルの画像表示を説明する図である。結合画像保存は、画像群ＰＧに含まれる複数の画像ファイルＰＦを結合した結合画像ファイルＣＦとして保存する保存方法である。
【００４２】
図１０に示すように、結合画像保存がユーザにより選択されると、画像保存部５６は、画像群ＰＧに画像ファイルＰＦを結合して、１個の結合画像ファイルＣＦを生成して記憶部４６に保存する。例えば、画像保存部５６は、画像群ＰＧ０１に属する画像ファイルＰＦであるＤＳＣＮ＿０００１．ＪＰＧ〜ＤＳＣＮ＿０００５．ＪＰＧを結合して、１個の結合画像ファイルＣＦを生成する。結合画像ファイルＣＦのファイル形式は、マルチピクチャーフォーマットを採用できる。結合画像ファイルＣＦのファイル名をＤＳＣＮ＿０１．ＭＰＯとする。結合画像ファイルＣＦのファイル名の「０１」は、元の画像群ＰＧ０１の画像群名から抽出した識別符号である。これにより、ユーザは、結合画像ファイルＣＦの画像群ＰＧ０１をファイル名から認識できる。これにより、ユーザは、結合画像ファイルＣＦの画像が画像群ＰＧに属していたことをファイル名から判定できる。
【００４３】
画像保存部５６は、結合させた５個の画像ファイルＰＦのうち、ユーザベストの画像ファイルＰＦであるＤＳＣＮ＿０００３．ＪＰＧを識別するための代表情報と結合画像ファイルＣＦとを関連付けて保存する。例えば、代表情報は、マルチピクチャーフォーマットの場合、ＭＰフォーマット付属情報に含めてもよい。また、代表情報は、結合画像ファイルＣＦのファイル名に含めてもよい。尚、画像保存部５６は、５個の画像ファイルＰＦを動画ファイルとして保存してもよい。
【００４４】
結合画像保存において、記憶部４６に保存された結合画像ファイルＣＦを表示する場合、図１１に示すように、表示制御部５８は、保存された結合画像ファイルＣＦに含まれる代表画像情報を参照して、ユーザベストの画像ファイルＰＦに対応する画像を表示部４２に表示する。また、表示制御部５８は、残りの画像ファイルＰＦに対応する画像をユーザベストの画像に重ねて表示部４２に表示する。これにより、ユーザは、ユーザベストの画像を認識しつつ、５個の画像ファイルＰＦが結合されていることを認識できる。
【００４５】
上述したように結合画像保存においては、画像処理装置１４は、５個の画像ファイルＰＦを結合した１個の結合画像ファイルＣＦとして、保存する。これにより、画像処理装置１４は、記憶部４６が必要とする記憶容量を小さくしつつ、ファイルの管理を簡易化することができる。
【００４６】
図１２は、画像名識別保存を説明する図である。図１３は、画像名識別保存によって保存された画像ファイルの画像表示を説明する図である。画像名識別保存は、複数の画像ファイルＰＦがいずれの画像群ＰＧに属するかを識別可能な画像群情報を含む画像ファイル名を付与して複数の画像ファイルＰＦを個別に保存する保存方法である。
【００４７】
図１２に示すように、画像名識別保存がユーザにより選択されると、画像保存部５６は、それぞれの画像ファイルＰＦの画像ファイル名を識別情報ファイルＤＦに含まれる識別情報に基づいて変換する。具体的には、画像保存部５６は、画像群名と、画像取得部５２が取得した画像ファイルの画像ファイル名とを識別可能に画像ファイル名を変換する。更に、画像保存部５６は、ユーザベストの画像ファイルであることを認識可能に画像ファイルＰＦの画像ファイル名を変換する。
【００４８】
例えば、画像群ＰＧ０１に属する画像ファイルＰＦのＤＳＣＮ＿０００２．ＪＰＧの場合、画像保存部５６は、画像群ＰＧ０１を識別可能な画像群情報である「０１」と、ファイルを識別する識別符号の「０００２」とを順に並べた「ＤＳＣＮ＿０１＿０００２．ＪＰＧ」に画像ファイル名を変換する。また、ファイル名の「０１」は、画像ファイルＰＦが、連写またはオートブランケッティング等により撮像された画像群ＰＧに属することを判定するための画像群判定情報である。更に、ユーザベストの画像ファイルＰＦのＤＳＣＮ＿０００３．ＪＰＧの場合、画像保存部５６は、画像ファイル名にユーザベストであることを識別する識別符号「＄」を付与して、画像ファイル名を「ＤＳＣＮ＿０１＿０００３＄．ＪＰＧ」に変換する。これにより、画像名識別保存において、画像保存部５６は、画像ファイル名によって、複数の画像ファイルＰＦに含まれる代表画像ファイルＳＦを識別できる。
【００４９】
画像名識別保存において記憶部４６に保存された画像ファイルＰＦを表示する場合、図１３に示すように、表示制御部５８は、保存された画像ファイルＰＦの全てを表示部４２に表示させる。ここで、表示制御部５８は、各画像ファイルＰＦの画像ファイル名を参照して、ユーザベストの画像ファイルＰＦを抽出して、その画像ファイルＰＦの画像を大きく表示させてもよい。尚、表示制御部５８は、全ての画像ファイルＰＦの画像を同じ大きさに表示させてもよく、図１１に示すように表示させてもよい。
【００５０】
図１４は、識別分離保存を説明する図である。図１５は、記憶部４６に保存される識別情報ファイルを説明する図である。識別分離保存は、複数の画像ファイルＰＦがいずれの画像群ＰＧに属するかを識別可能な画像群情報と複数の画像ファイルＰＦとを関連付けた識別情報ファイルＤＦと、複数の画像ファイルＰＦとを分離して保存する保存方法である。
【００５１】
図１４に示すように、識別分離保存がユーザにより選択されると、画像保存部５６は、画像ファイル名を変換することなく画像ファイルＰＦを個別に記憶部４６に保存する。また、画像保存部５６は、画像ファイルＰＦから分離した識別情報ファイルＤＦ０１、ＤＦ０２・・・を記憶部４６に保存する。ここで、画像保存部５６は、画像取得部５２が取得した識別情報ファイルＤＦに基づいて、各画像群ＰＧに対応する識別情報ファイルＤＦ０１、ＤＦ０２・・・を作成する。尚、画像保存部５６は、画像取得部５２が取得した識別情報ファイルＤＦを変換することなく保存してもよい。
【００５２】
図１５に示すように、識別分離保存において、画像保存部５６は、識別情報ファイルＤＦから画像群名、属性、画像ファイル名を抽出する。尚、画像群名は、いずれの画像群ＰＧに属するかの画像群情報であるとともに、画像ファイルＰＦが画像群ＰＧに属することを判定するための画像群判定情報である。そして、画像保存部５６は、抽出した画像群名に、属性及び画像ファイル名を関連付けて、それぞれの画像群ＰＧに対応する識別情報ファイルＤＦ０１、ＤＦ０２・・を生成して、記憶部４６に格納する。また、画像保存部５６は、複数の画像ファイルＰＦに含まれる代表画像ファイルＳＦを識別するユーザベストである情報、及び、オートベストである情報を識別情報ファイルＤＦ０１、ＤＦ０２・・に含ませる。
【００５３】
識別分離保存において記憶部４６に保存された画像ファイルＰＦを表示する場合、表示制御部５８は、図１１または図１３に示すように表示する。尚、複数回に分けて識別分離保存を実行して、複数の画像群ＰＧに属する画像ファイルＰＦを１個のフォルダに保存する場合、各画像群ＰＧの識別情報ファイルＤＦを結合して１個の識別情報ファイルＤＦとしてもよい。また、１個の画像処理装置１４に保存された全ての画像ファイルＰＦを１個の識別情報ファイルＤＦによって管理してもよい。更には、ネットワークに接続された複数の画像処理装置１４に保存された画像ファイルＰＦをサーバに保存された識別情報ファイルＤＦによって管理してもよい。
【００５４】
図１６は、フォルダ保存を説明する図である。フォルダ保存は、画像群ＰＧ毎に複数の画像ファイルＰＦを個別にフォルダＦＬＤに保存する保存方法である。
【００５５】
図１６に示すように、フォルダ保存がユーザにより選択されると、画像保存部５６は、画像群ＰＧ毎にフォルダＦＬＤを作成して、該当する画像群ＰＧの全ての画像ファイルＰＦをフォルダＦＬＤに属させて記憶部４６に保存する。例えば、画像保存部５６は、画像群ＰＧ０１に対応するフォルダＦＬＤ０１を作成する。そして、画像保存部５６は、画像群ＰＧ０１に属する画像ファイルＰＦのＤＳＣＮ＿０００１．ＪＰＧ〜ＤＳＣＮ＿０００５．ＪＰＧをフォルダＦＬＤ０１＃に属させて記憶部４６に保存する。尚、フォルダ名の「０１」は、画像群ＰＧ０１に属する画像ファイルＰＦであることを示す画像群情報である。フォルダ名の「＃」は、画像群ＰＧに属する画像ファイルＰＦであることを示す画像群判定情報である。更に、画像保存部５６は、ユーザベストの画像ファイルＰＦの画像ファイル名に識別符号「＄」を画像ファイル名に付与して、画像ファイル名により当該画像ファイルＰＦが代表画像ファイルＳＦであることを識別可能に保存する。
【００５６】
フォルダ保存において記憶部４６に保存された画像ファイルＰＦを表示する場合、表示制御部５８は、図１１または図１３に示すように表示する。フォルダ保存においては、画像処理装置１４が、フォルダ単位で画像群ＰＧの画像ファイルＰＦを管理するので、特定のアプリケーションを必要とせず、画像ファイルＰＦの管理が容易になる。また、ユーザは、容易に同じ画像群ＰＧに属する画像ファイルＰＦを認識しつつ、画像ファイル名から代表画像を認識できる。
【００５７】
図１７は、個別保存を説明する図である。図１７に示すように、個別保存がユーザにより選択されると、画像保存部５６は、画像ファイルＰＦを変換することなく、記憶部４６に保存するとともに、識別情報ファイルＤＦを消去する。即ち、個別保存においては、画像ファイルＰＦは、画像群に関する識別情報が消去された状態で保存される。
【００５８】
上述したように、画像処理装置１４では、複数の保存方法から選択して、画像群ＰＧに属する複数の画像ファイルＰＦを保存できる。これにより、画像処理装置１４は、ユーザによる画像ファイルＰＦの保存方法の自由度を向上させることができる。
【００５９】
特に、画像処理装置１４は、画像群ＰＧに含まれる複数の画像ファイルＰＦのうち、ユーザベスト等の代表画像のみを保存する代表画像保存と、画像群に含まれる複数の画像ファイルＰＦを保存する結合画像保存、画像名識別保存、識別分離保存、フォルダ保存、及び個別保存とのいずれかを選択可能に構成されている。これにより、ユーザは、これらの保存方法のいずれかを選択することにより、プログラム及び表示の高速化、記憶部４６の容量、表示部４２への表示方法等に対応させて画像ファイルＰＦを適切な方法で保存できる。
【００６０】
次に、上述した実施形態の一部を変更した実施形態について説明する。
【００６１】
上述した図６のフローチャートの順序は適宜変更してよい。例えば、選択受付Ｓ１２を実行した後、画像取得Ｓ１０を実行してもよいし、選択受付Ｓ１２を、撮像装置１２から画像処理装置１４への転送時に実行してもよい。この場合、代表画像保存が選択された場合、画像取得部５２が代表画像ファイルＳＦのみを取得してもよい。例えば、画像取得部５２は、撮像装置１２において、ユーザが選択したユーザベストのみを代表画像ファイルＳＦとして取得してもよい。更に、ユーザベストが撮像装置１２に存在しない場合、画像取得部５２は、オートベストのみを代表画像ファイルＳＦとして取得してもよい。また、選択受付Ｓ１２を実行した結果を保存して、時間が経過した後、例えば数日後、他のステップを実行してもよい。更に、画像処理装置１４が有する画像取得部５２、操作受付部５４、及び、画像保存部５６の一部または全部を撮像装置１２に設けて、それぞれの処理を撮像装置１２において実行してもよい。
【００６２】
図１８及び図１９は、変更された保存選択画面を説明する図である。画像取得部５２による画像取得が実行されると、表示制御部５８は、図１８に示すように、代表画像保存、及び、全画像保存のいずれかを選択可能な初期保存選択画面６２を表示部４２に表示する。ユーザは、初期保存選択画面６２においては、代表画像保存、及び、全画像保存のいずれかを選択する。ここで、ユーザが操作部４０を介して代表画像保存を選択すると、画像保存部５６は代表画像保存を実行する。一方、ユーザが操作部４０を介して全画像保存を選択すると、表示制御部５８は、図１９に示す後期保存選択画面６４を表示部４２に表示する。後期保存選択画面６４は、結合画像保存、画像名識別保存、識別分離保存、フォルダ保存、及び個別保存を選択可能に構成されている。この後、ユーザが後期保存選択画面６４に基づいて、結合画像保存、画像名識別保存、識別分離保存、フォルダ保存、及び個別保存のいずれかを操作部４０により選択すると、画像保存部５６がその選択された保存方法に基づいて画像ファイルＰＦを保存する。
【００６３】
上述の実施形態では、画像ファイルＰＦのファイル形式を「ＪＰＧ」として説明した。しかしながら、複数のファイル形式によって画像ファイルＰＦを生成する撮像装置１２においても上述の実施形態を適用してもよい。例えば、撮像装置１２が生成した複数の画像ファイルＰＦが、同じ画像から生成された「ＲＡＷ」と「ＪＰＧ」の２個のファイル形式の画像ファイルを含む場合が想定される。尚、「ＲＡＷ」のファイルは、撮像部２０の出力信号によって生成される。この場合、結合画像保存が選択されると、画像保存部５６は、「ＪＰＧ」の画像ファイルＰＦを結合して結合画像ファイルＣＦに変換して保存する。一方、画像保存部５６は、結合されることができない「ＲＡＷ」の画像ファイルＰＦを個別に保存する。
【００６４】
上述の実施形態では、ユーザが選択した保存方法によって画像群ＰＧを保存したが、操作受付部５４が自動で保存方法を選択してもよい。例えば、画像ファイルＰＦのファイル形式が「ＲＡＷ」のみの場合、結合画像保存がユーザによって選択されても、画像保存部５６は結合画像保存を実行することができない。従って、画像保存部５６が実行できない保存方法を操作受付部５４が受け付けた場合、操作受付部５４が保存方法を自動で選択してもよい。尚、画像保存部５６が実行できる保存方法が選択されても、より好ましい保存方法が存在する場合、操作受付部５４はその保存方法を選択してもよく、また、操作受付部５４が表示制御部５８を介して表示部４２に好ましい保存方法を表示させてもよい。
【００６５】
上述の実施形態における保存方法を組み合わせてもよい。例えば、結合画像保存と画像名識別保存とを組み合わせてもよい。この場合、画像保存部５６は、結合画像保存と同様に複数の画像ファイルを結合させて１個の結合画像ファイルを生成する。そして、画像保存部５６は、ユーザベストの画像ファイルが認識できるファイル名を作成して結合画像ファイルに付与する。これにより、ユーザは、元の画像ファイルＰＦのいずれがユーザベストの画像ファイルかを容易に認識できる。
【００６６】
また、フォルダ保存と画像名識別保存とを組み合わせてもよい。この場合、画像保存部５６は、複数の画像ファイルＰＦをフォルダＦＬＤに属させるとともに、画像群が認識可能な画像ファイル名を画像ファイルＰＦに付与する。これにより、ユーザは、画像ファイルＰＦをフォルダＦＬＤから移動させても、画像ファイルＰＦがどの画像群ＰＧに属していたかを容易に認識できるとともに、移動前のフォルダＦＬＤを認識できる。
【００６７】
上述した実施形態では、画像保存方法を取得した画像ファイルＰＦに一律に適用する例を示したが、画像ファイル毎、画像群毎に画像保存方法を設定できるように構成してもよい。
【００６８】
次に、優先的に表示する優先画像ファイルの決定方法について説明する。図２０は、本実施形態による画像群の構成を説明する図である。本実施形態では、群撮像において、群制御部３２は、一の撮影指示に対して、複数の、例えば５個の画像を撮像する。図２０に示すように、群制御部３２は、撮像した５個の画像からＲＡＷ形式の５個の画像ファイルＰＦＲを生成して、それらをＲＡＷ画像群ＰＧＲとする。また、群制御部３２は、ＲＡＷ形式の５個の画像ファイルＰＦＲのそれぞれについて、ＪＰＧ形式の５個の画像ファイルＰＦＪを生成して、それらをＪＰＧ画像群ＰＧＪとする。例えば、群制御部３２は、ＤＳＣＮ＿０００１．ＲＡＷからＤＳＣＮ＿０００１．ＪＰＧを生成する。同じ画像から生成されたＲＡＷ形式の画像群ＰＧＲとＪＰＧ形式の画像群ＰＧＪとを合わせて共通画像群ＰＧＣとする。画像処理装置１１４の画像取得部５２は、これらの画像ファイルＰＦＲ、ＰＦＪ及び画像群ＰＧＲ、ＰＧＪの情報を取得する。画像保存部５６は、上述した保存方法によって取得した画像群ＰＧＲ、ＰＧＪを記憶部４６に記憶させる。記憶部４６は、フォルダを階層状に生成するファイルシステムに従って画像群ＰＧＲ、ＰＧＪを記憶する。本実施形態では、識別分離保存が実行されたとする。従って、画像保存部５６は、各画像群ＰＧＲ、ＰＧＪに識別情報ファイルＤＦＲ、ＤＦＪを生成する。尚、画像保存部５６が、結合画像保存、フォルダ保存及び画像名識別保存を実行した場合でも、本実施形態を適用してよい。尚、結合画像保存においては、各画像に対応するデータセットをファイルとして便宜上扱う。
【００６９】
図２１は、優先選択部１７２を更に備えた画像処理装置１１４の全体構成図である。図２１に示す画像処理装置１１４は、画像群ＰＧＲ、ＰＧＦの複数の画像ファイルＰＦＲ、ＰＦＪから優先画像ファイルＳＦＲ、ＳＦＪを選択する優先選択部１７２を更に備える。尚、記憶部４６は、画像処理装置１４に優先画像を選択する画像処理及び優先画像を表示させる画像処理を実行させるプログラム等を保存している。画像処理を実行させるためのプログラムは、例えば、ＣＤ、ＤＶＤ等の記憶媒体５０を介して取得してもよい。
【００７０】
優先選択部１７２は、記憶部４６に保存された優先順位情報に従って、ＲＡＷ画像群ＰＧＲの優先画像ファイルＳＦＲを設定する。優先順位情報では、ユーザベストの画像ファイルＰＦＲ、オートベストの画像ファイルＰＦＲの順で優先順位が付けられている。従って、優先選択部１７２は、ユーザにより選択されたユーザベストの画像ファイルＰＦＲがＲＡＷ画像群ＰＧＲに含まれる場合、ユーザベストの画像ファイルＰＦＲをＲＡＷの優先画像ファイルＳＦＲとして選択する。優先選択部１７２は、ユーザベストの画像ファイルＰＦＲがＲＡＷ画像群ＰＧＲに含まれない場合、オートベストの画像ファイルＰＦＲをＲＡＷの優先画像ファイルＳＦＲとして選択する。尚、第１選択ファイルの一例がＲＡＷ画像群ＰＧＲのユーザベストの画像ファイルであり、第２選択ファイルの一例がＲＡＷ画像群ＰＧＲのオートベストの画像ファイルである。更に、優先選択部１７２は、ＲＡＷ画像群ＰＧＲにＲＡＷ形式のユーザベスト及びオートベストの両方が含まれない場合、ＲＡＷ画像群ＰＧＲに残るＲＡＷ形式の画像ファイルＰＦＲのファイル名に基づいてＲＡＷ形式の優先画像ファイルＳＦＲを選択する。ファイル名に基づいて、優先画像ファイルＳＦＲを設定する方法の一例は、ファイル名によって画像ファイルＰＦＲを昇順または降順にソートして、最初に配列された画像ファイルＰＦＲを優先画像ファイルＳＦＲに設定する。尚、ファイル名に基づいて、優先画像ファイルＳＦＲを設定する方法は、他の方法によってもよく、特に限定されるものではない。
【００７１】
ＪＰＧ画像群ＰＧＪにおいても、同様に、優先選択部１７２は、ユーザベストの画像ファイルＰＦＪがＪＰＧ画像群ＰＧＪに含まれれば、ユーザベストを優先画像ファイルＳＦＪとして選択して、ユーザベストがなければ、オートベストを優先画像ファイルＳＦＪとして選択する。更に、ユーザベスト及オートベストがＪＰＧ画像群ＰＧＪにない場合、優先選択部１７２は、ファイル名に基づいて、ＪＰＧ形式の優先画像ファイルＳＦＪを選択する。尚、第３選択ファイルの一例がＪＰＧ画像群ＰＧＪのユーザベストの画像ファイルであり、第４選択ファイルの一例がＪＰＧ画像群ＰＧＪのオートベストの画像ファイルである。これにより、優先選択部１７２は、画像群ＰＧＲ、ＰＧＪに属する優先順位の高い画像ファイルＰＦＲ、ＰＦＪがユーザ等によって別のフォルダ等に移動されても、優先画像ファイルＳＦＲ、ＳＦＪ及び共通優先画像ファイルＣＦを設定できる。尚、共通画像群ＰＧＣに含まれる画像ファイルＰＦＲ、ＰＦＪが１個になった場合、画像群であることを解除してもよい。
【００７２】
更に、優先選択部１７２は、ＲＡＷ形式の優先画像ファイルＳＦＲ及びＪＰＧ形式の優先画像ファイルＳＦＪから共通画像群ＰＧＣの共通優先画像ファイルＣＦを選択して設定する。優先順位情報においては、ＲＡＷ形式がＪＰＧ形式よりも優先順位が高い。従って、優先順位の順に沿って並べると、ＲＡＷ形式のユーザベスト、ＪＰＧ形式のユーザベスト、ＲＡＷ形式のオートベスト、ＪＰＧ形式のオートベストの順である。更に、優先選択部１７２は、ＲＡＷ形式及びＪＰＧ形式のユーザベスト及びオートベストがない場合、ＲＡＷ形式のファイル名に基づいて設定されたＲＡＷ形式の優先画像ファイル、ＪＰＧ形式のファイル名に基づいて設定されたＪＰＧ形式の優先画像ファイルの優先順位で共通優先画像ファイルＣＦを選択して設定する。
【００７３】
オートベストの画像ファイルＰＦＲ、ＰＦＪが、撮像装置１２によって設定されていない場合、優先選択部１７２が、露出、焦点等に関する予め設定された選択条件に基づいて、オートベストの画像ファイルＰＦＲ、ＰＦＪを自動的に選択して、設定してもよい。図２１に示す表示制御部５８は、優先画像表示部の一例である。表示制御部５８は、ユーザによって選択された表示方法によって、画像群ＰＧＲ、ＰＧＪに含まれる画像を表示部４２に表示する。例えば、表示制御部５８は、画像群ＰＧＲに含まれる複数の画像ファイルＰＦＲから選択された優先画像ファイルＳＦＲ、及び、画像群ＰＧＪに含まれる複数の画像ファイルＰＦＪから選択された優先画像ファイルＳＦＪの画像を表示部４２に表示させる。
【００７４】
図２２は、優先選択部１７２による優先画像及び共通優先画像を選択する優先画像選択処理を説明するフローチャートである。優先画像選択処理は、画像制御部４８が記憶部４６から優先画像選択処理用のプログラムを読み込むことにより実行される。
【００７５】
図２２に示すように、優先画像選択処理においては、優先選択部１７２が、ＲＡＷ形式のユーザベストがあるか否かを判定する（Ｓ１００）。優先選択部１７２は、ＲＡＷ形式のユーザベストがあると判定すると（Ｓ１００：Ｙｅｓ）、ＲＡＷ形式のユーザベストをＲＡＷ形式の優先画像ファイルＳＦＲに設定して（Ｓ１０２）、フラグＦＲに「０」を設定する（Ｓ１０４）。尚、フラグＦＲは優先順位を判定するためのＲＡＷ形式の判定用フラグである。
【００７６】
優先選択部１７２は、ＲＡＷ形式のユーザベストがないと判定すると（Ｓ１００：Ｎｏ）、ＲＡＷ形式のオートベストがあるか否かを判定する（Ｓ１０６）。優先選択部１７２は、ＲＡＷ形式のオートベストがあると判定すると（Ｓ１０６：Ｙｅｓ）、ＲＡＷ形式のオートベストを優先画像ファイルＳＦＲに設定して（Ｓ１０８）、フラグＦＲに「１」を設定する（Ｓ１１０）。
【００７７】
優先選択部１７２は、ＲＡＷ形式のオートベストがないと判定すると（Ｓ１０６：Ｎｏ）、ファイル名に基づいてＲＡＷ形式の優先画像ファイルＳＦＲを設定して（Ｓ１１２）、フラグＦＲに「２」を設定する（Ｓ１１４）。
【００７８】
優先選択部１７２は、ＲＡＷ形式の優先画像ファイルＳＦＲを設定した後、ＪＰＧ形式のユーザベストがあるか否かを判定する（Ｓ１１６）。優先選択部１７２は、ＪＰＧ形式のユーザベストがあると判定すると（Ｓ１１６：Ｙｅｓ）、ＪＰＧ形式のユーザベストをＪＰＧ形式の優先画像ファイルＳＦＪに設定して（Ｓ１１８）、フラグＦＪに「０」を設定する（Ｓ１２０）。尚、フラグＦＪは、フラグＦＲと比較して優先画像の優先順位を判定するためのＪＰＧ形式の判定用フラグである。
【００７９】
優先選択部１７２は、ＪＰＧ形式のユーザベストがないと判定すると（Ｓ１１６：Ｎｏ）、ＪＰＧ形式のオートベストがあるか否かを判定する（Ｓ１２２）。優先選択部１７２は、ＪＰＧ形式のオートベストがあると判定すると（Ｓ１２２：Ｙｅｓ）、ＪＰＧ形式のユーザベストを優先画像ファイルＳＦＪに設定して（Ｓ１２４）、フラグＦＪに「１」を設定する（Ｓ１２６）。
【００８０】
優先選択部１７２は、ＪＰＧ形式のオートベストがないと判定すると（Ｓ１２２：Ｎｏ）、ファイル名に基づいてＪＰＧ形式の優先画像ファイルＳＦＪを設定して（Ｓ１２８）、フラグＦＪに「２」を設定する（Ｓ１３０）。尚、ＪＰＧ形式のファイル名に基づく優先画像ファイルの設定は、ＲＡＷ形式の場合と同様である。
【００８１】
優先選択部１７２は、ＲＡＷ形式及びＪＰＧ形式の優先画像ファイルＳＦＲ、ＳＦＪを設定した後、フラグＦＲとフラグＦＪとを比較する（Ｓ１３２）。優先選択部１７２は、ＦＲ≦ＦＪと判定すると（Ｓ１３２：Ｙｅｓ）、ＲＡＷ形式の優先画像ファイルＳＦＲを共通画像群ＰＧＣの共通優先画像ファイルＣＦとして設定する（Ｓ１３４）。優先選択部１７２は、ＦＲ＞ＦＪと判定すると（Ｓ１３２：Ｎｏ）、ＪＰＧ形式の優先画像ファイルＳＦＪを共通優先画像ファイルＣＦとして設定する（Ｓ１３６）。この後、優先選択部１７２は、ＲＡＷ形式及びＪＰＧ形式の優先画像ファイルＳＦＲ、ＳＦＪと、共通優先画像ファイルＣＦとを記憶部４６に保存する。尚、優先画像ファイルＳＦＲ、ＳＦＪ及び共通優先画像ファイルＣＦの保存方法は、識別情報ファイルＤＦＲ、ＤＦＪに認識可能に記載してもよく、優先画像ファイルＳＦＲ、ＳＦＪ及び共通優先画像ファイルＣＦのファイル名で認識可能にしてもよく、フォルダ名によって認識可能にしてもよい。これにより、優先画像選択処理が終了する。
【００８２】
次に、上述した優先画像選択処理が実行された場合における画像の表示処理について説明する。この画像の表示処理は、画像制御部４８が記憶部４６から画像の表示処理用のプログラムを読み込むことにより実行される。画像の表示方法の説明において、図中ではファイル名に含まれる「ＤＳＣＮ＿」を省略して説明する。また、ＲＡＷ形式のユーザベストの画像ファイルＰＦＲをＤＳＣＮ＿０００１．ＲＡＷとして、ＪＰＧ形式のユーザベストの画像ファイルＰＦＪをＤＳＣＮ＿０００４．ＪＰＧとする。ＲＡＷ形式及びＪＰＧ形式のオートベストの画像ファイルＰＦＲ、ＰＦＪをＤＳＣＮ＿０００３．ＲＡＷ、及び、ＤＳＣＮ＿０００３．ＪＰＧとする。
【００８３】
図２３は、表示方法を選択する表示選択画面の図である。図２３に示すように、表示制御部５８は、４個の画像の表示方法を選択するための表示選択画面６６を表示部４２に表示する。ユーザが選択可能な表示方法は、全画像表示と、単形式表示と、形式毎表示と、単画像表示とである。ユーザは、いずれかの表示方法を操作部４０を介して選択する。
【００８４】
まず、両画像群ＰＧＲ、ＰＧＪの画像ファイルＰＦＲ、ＰＦＪが欠けることなく、１０個揃っている状態での画像の表示方法について説明する。この状態では、優先画像選択処理において、優先選択部１７２は、ＲＡＷ形式の優先画像ファイルＳＦＲとしてユーザベストのＤＳＣＮ＿０００２．ＲＡＷを選択するとともに、ＪＰＧ形式の優先画像ファイルＳＦＪとしてユーザベストのＤＳＣＮ＿０００４を選択する。更に、優先選択部は、共通優先画像ファイルＣＦとして、ＲＡＷ形式のユーザベストであって優先画像ファイルＳＦＲであるＤＳＣＮ＿０００２．ＲＡＷを選択する。
【００８５】
図２４は、全画像表示の表示方法を説明する図である。図２４以降の図面において、ＪＰＧ形式の画像にはハッチングを付与する。図２４に示すように、全画像表示において、表示制御部５８は、表示部４２の上部にＲＡＷ画像群ＰＧＲの５個の画像を横一列に間隔を空けてファイル名順に配列して表示する。表示制御部５８は、表示部４２の下部にＪＰＧ画像群ＰＧＪの５個の画像を横一列に間隔を空けてファイル名順に配列して表示する。従って、ＲＡＷの画像は、当該ＲＡＷの画像から生成されたＪＰＧの画像の上方に表示される。表示制御部５８は、ＲＡＷ画像群ＰＧＲの画像の列とＪＰＧ画像群ＰＧＪの画像の列との間に間隔を空けて表示する。これにより、１０個の画像は、互いに重ならない状態で表示される。従って、ユーザは、全ての画像を見ることができる。また、ユーザは、ＲＡＷ形式の画像に対応するＪＰＧ形式の画像を容易に認識できる。更に、表示制御部５８は、ＲＡＷ形式の優先画像ファイルＳＦＲ及びＪＰＧ形式の優先画像ファイルＳＦＪを太枠で囲む。これにより、ユーザは、それぞれの形式の優先画像ファイルＳＦＲ、ＳＦＪを容易に認識できる。
【００８６】
図２５は、単形式表示の表示方法を説明する図である。図２５に示すように、単形式表示において、表示制御部５８は、表示部４２の中央部にＲＡＷ画像群ＰＧＲの５個の画像を横一列に間隔を空けて配列して表示する。表示制御部５８は、表示部４２の中央部にＪＰＧ画像群ＰＧＪの５個の画像を横一列に間隔を空けて配列して表示する。ここで、表示制御部５８は、ＲＡＷ形式の画像と、その画像に対応するＪＰＧ形式の画像とを少しずらした状態で、且つ、ＲＡＷ形式の画像が上になるように重ねて表示する。更に、表示制御部５８は、ＲＡＷ形式の優先画像ファイルＳＦＲ及びＪＰＧ形式の優先画像ファイルＳＦＪの画像を太枠で囲む。これにより、ユーザは、ＲＡＷ形式の５個の画像を視認できるとともに、優先画像ファイルＳＦＲ、ＳＦＪの画像を認識できる。
【００８７】
図２６は、形式毎表示の表示方法を説明する図である。図２６に示すように、形式毎表示において、表示制御部５８は、表示部４２の上部にＲＡＷ画像群ＰＧＲの５個の画像を、互いに重ねるように表示する。ここで、表示制御部５８は、最上層にＲＡＷ画像群ＰＧＲの優先画像ファイルＳＦＲを表示する。また、表示制御部５８は、表示部４２の下部に、ＲＡＷ画像群ＰＧＲと同様に、優先画像ファイルＳＦＪが最上層となるように、ＪＰＧ画像群ＰＧＪの５個の画像を重ねて表示する。これにより、ユーザは、各形式の優先画像ファイルＳＦＲ、ＳＦＪを視認できる。
【００８８】
図２７は、単画像表示の表示方法を説明する図である。図２７に示すように、単画像表示において、表示制御部５８は、ＲＡＷ画像群ＰＧＲ及びＪＰＧ画像群ＰＧＪの１０個の画像を、互いに重なるように表示する。ここで、表示制御部５８は、最上層に共通優先画像ファイルＣＦであるＲＡＷ画像群ＰＧＲの優先画像ファイルＳＦＲを表示する。これにより、ユーザは、共通優先画像ファイルＣＦを視認できる。
【００８９】
次に、画像ファイルＰＦＲ、ＰＦＪのＤＳＣＮ＿０００２．ＲＡＷが移動などによって紛失している状態での表示方法を説明する。この状態では、優先選択部１７２は、ＲＡＷ画像群ＰＧＲの優先画像ファイルＳＦＲとしてオートベストのＤＳＣＮ＿０００３．ＲＡＷを選択する。また、優先選択部１７２は、ＪＰＧ画像群ＰＧＪの優先画像ファイルＳＦＪとしてユーザベストのＤＳＣＮ＿０００４．ＪＰＧを選択する。優先選択部１７２は、優先順位に従って、ＪＰＧ形式の優先画像ファイルＳＦＪであるＤＳＣＮ＿０００４．ＪＰＧを共通優先画像ファイルＣＦとして選択する。
【００９０】
図２８は、全画像表示の表示方法を説明する図である。図２８に示すように、全画像表示において、表示制御部５８は、ＲＡＷ画像群ＰＧＲの４個の画像及びＪＰＧ形式の５個の画像をそれぞれ横一列に配列して表示する。ここで、表示制御部５８は、紛失したＤＳＣＮ＿０００２．ＲＡＷの画像が表示される領域は空けて他の画像を表示する。従って、ＤＳＣＮ＿０００３．ＲＡＷからＤＳＣＮ＿０００５．ＲＡＷの画像の下方にＤＳＣＮ＿０００３．ＪＰＧからＤＳＣＮ＿０００５．ＪＰＧの画像が表示される。従って、ユーザは、ＲＡＷ画像群ＰＧＲの画像に対応するＪＰＧ画像群ＰＧＪの画像を容易に認識できる。また、ユーザは、紛失した画像を容易に認識できる。表示制御部５８は、ＲＡＷ画像群ＰＧＲの画像において、優先画像ファイルＳＦＲであるオートベストの画像を太枠で囲む。
【００９１】
図２９は、単形式表示の表示方法を説明する図である。図２９に示すように、単形式表示において、表示制御部５８は、ＲＡＷ画像群ＰＧＲの４個の画像の列の下層に、ＪＰＧ画像群ＰＧＪの５個の画像の列を表示する。表示制御部５８は、ＲＡＷ画像群ＰＧＲのＤＳＣＮ＿０００２．ＲＡＷが紛失しているので、ＤＳＣＮ＿０００２．ＪＰＧの画像の全面を表示する。ここで、共通優先画像ファイルＣＦはＤＳＣＮ＿０００４．ＪＰＧなので、表示制御部５８は、このＤＳＣＮ＿０００４．ＪＰＧに対応する画像をＲＡＷ画像群ＰＧＲのＤＳＣＮ＿０００４．ＲＡＷの画像よりも前面に表示する。そして、表示制御部５８は、優先画像ファイルＳＦＲ、ＳＦＪの画像を太枠で囲む。これにより、ユーザは、共通優先画像ファイルＣＦ及び優先画像ファイルＳＦＲ、ＳＦＪを視認できる。尚、ＤＳＣＮ＿０００４．ＲＡＷの画像をＤＳＣＮ＿０００４．ＪＰＧの画像の上層に表示してもよい。
【００９２】
図３０は、形式毎表示の表示方法を説明する図である。図３０に示すように、形式毎表示において、表示制御部５８は、表示部４２の上部にＲＡＷ画像群ＰＧＲの４個の画像を互いに重ねるように表示する。ここで、ＲＡＷ画像群ＰＧＲのＤＳＣＮ＿０００２．ＲＡＷが紛失しているので、ＲＡＷ画像群ＰＧＲの優先画像ファイルＳＦＲであるオートベストのＤＳＣＮ＿０００３．ＲＡＷの画像の全面を表示する。尚、ＪＰＧ画像群ＰＧＪの表示は、図２６と同様のため省略する。
【００９３】
図３１は、単画像表示の表示方法を説明する図である。図３１に示すように、単画像表示において、表示制御部５８は、ＲＡＷ画像群ＰＧＲ及びＪＰＧ画像群ＰＧＪの９個の画像を、互いに重なるように表示する。ここで、ＲＡＷ画像群ＰＧＲのＤＳＣＮ＿０００２．ＲＡＷが紛失しているので、表示制御部５８は、共通優先画像ファイルＣＦであるＤＳＣＮ＿０００２．ＪＰＧの画像を最上層に表示する。尚、ＲＡＷ画像群ＰＧＲの優先画像ファイルＳＦＲであるＤＳＣＮ＿０００３．ＲＡＷを最上層に表示してもよい。
【００９４】
上述したように、画像処理装置１１４では、表示制御部５８が、全画像表示、単形式表示及び形式毎表示において、ＲＡＷ形式の優先画像ファイルＳＦＲ及びＪＰＧ形式の優先画像ファイルＳＦＪの画像を表示部４２に表示することができる。これにより、ユーザは、異なるファイル形式の優先画像を見ることができる。
【００９５】
画像処理装置１１４では、例えば、ＲＡＷ形式のユーザベストがない場合、優先選択部１７２が、ＲＡＷ形式のオートベストを優先画像ファイルＳＦＲとして選択する。これにより、ユーザがユーザベストの画像ファイルを移動させた場合でも、表示制御部５８は優先画像ファイルＳＦＲの画像を表示できる。
【００９６】
図３２は、検索部を更に備えた画像処理装置の全体構成図である。図３２に示すように、画像処理装置２１４は、検索部１７４を更に備える。尚、記憶部４６は、フォルダを階層状に生成するファイルシステムに従って、画像取得部５２が取得した画像群ＰＧＲ、ＰＧＪを記憶する。検索部１７４は、画像ファイルＰＦＲ、ＰＦＪを検索する。例えば、優先選択部１７２がＲＡＷ画像群ＰＧＲにユーザベストの画像ファイルＰＦＲが含まれないと判定すると、検索部１７４は、ユーザベストの画像ファイルＰＦＲを検索する。ここで、検索部１７４の検索範囲は、特に限定されるものではない。しかし、検索範囲を広げすぎると、検索時間が増大するので、検索部１７４の検索範囲は、対象のＲＡＷ画像群ＰＧＲが属するフォルダに属する画像ファイル、及び、ＲＡＷ画像群ＰＧＲが属するフォルダの一階層上のフォルダに属する画像ファイルに限定することが好ましい。
【００９７】
表示形式は適宜変更、及び、組み合わせてもよい。例えば、全画像表示により画像を表示した後に形式毎画像表示してもよく、全画像表示の後に単形式表示をしてもよく、単画像表示、形式毎表示または単形式表示の後に単画像表示をしてもよい。
【００９８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１００】
１０  画像処理システム
１２  撮像装置
１４  画像処理装置
２０  撮像部
２２  撮像操作部
２４  撮像記憶部
２６  入出力部
２８  撮像制御部
３０  単写制御部
３２  群制御部
３４  転送部
４０  操作部
４２  表示部
４４  入出力部
４６  記憶部
４８  画像制御部
５０  記憶媒体
５２  画像取得部
５４  操作受付部
５６  画像保存部
５８  表示制御部
６０  保存選択画面
６２  初期保存選択画面
６４  後期保存選択画面
６６  表示選択画面
１１４  画像処理装置
１７２  優先選択部
１７４  検索部
２１４  画像処理装置
【図１】
0005884323.tif 000002
【図２】
0005884323.tif 000003
【図３】
0005884323.tif 000004
【図４】
0005884323.tif 000005
【図５】
0005884323.tif 000006
【図６】
0005884323.tif 000007
【図７】
0005884323.tif 000008
【図８】
0005884323.tif 000009
【図９】
0005884323.tif 000010
【図１０】
0005884323.tif 000011
【図１１】
0005884323.tif 000012
【図１２】
0005884323.tif 000013
【図１３】
0005884323.tif 000014
【図１４】
0005884323.tif 000015
【図１５】
0005884323.tif 000016
【図１６】
0005884323.tif 000017
【図１７】
0005884323.tif 000018
【図１８】
0005884323.tif 000019
【図１９】
0005884323.tif 000020
【図２０】
0005884323.tif 000021
【図２１】
0005884323.tif 000022
【図２２】
0005884323.tif 000023
【図２３】
0005884323.tif 000024
【図２４】
0005884323.tif 000025
【図２５】
0005884323.tif 000026
【図２６】
0005884323.tif 000027
【図２７】
0005884323.tif 000028
【図２８】
0005884323.tif 000029
【図２９】
0005884323.tif 000030
【図３０】
0005884323.tif 000031
【図３１】
0005884323.tif 000032
【図３２】
0005884323.tif 000033